(57)【要約】【課題】簡素な構造でかつ小型化が可能な電子ユニット取付構造を提供する。【解決手段】電子ユニット取付構造１は、電気接続箱２のケース４上面４０ａに電子ユニット３を取り付ける構造である。電子ユニット３のケース５は、ケース本体５０と、ケース本体５０の一側面５０ｃから突出した突出部５１と、他側面５０ｄに設けられたロック部５２とを有している。電気接続箱２のケース４は、上面４０ａと直交する方向に延びた垂直壁６１と、垂直壁６１から電子ユニット３側に張り出した水平壁６４と、水平壁６４から上面４０ａの下方に達する突出部収容空間６６と、ロック受け部４２とを有している。突出部５１が突出部収容空間６６に挿入されて電子ユニット３が回動されることにより、突出部５１が水平壁６４に当接するとともにロック部５２がロック受け部４２に係止して電気接続箱２のケース４上面４０ａに電子ユニット３が取り付けられる。【選択図】図４
2014064381.tif 000002
【特許請求の範囲】
【請求項１】
電気接続箱のケース上面に電子ユニットを取り付ける電子ユニット取付構造において、
前記電子ユニットのケースが、部品を収容したケース本体と、前記ケース本体の一側面から突出した突出部と、前記ケース本体の一側面と対向する他側面に設けられたロック部と、を有し、
前記電気接続箱のケースが、前記上面と直交する方向に延びるとともに前記上面よりも上方に延長された垂直壁と、前記垂直壁における前記上面よりも上方から前記電子ユニットが取り付けられる側に張り出した水平壁と、前記水平壁の下方に位置する突出部収容空間と、前記垂直壁と対向する位置に配されたロック受け部と、を有し、
前記突出部が前記突出部収容空間に挿入されて、該突出部を中心に前記電子ユニットが回動されることにより、前記突出部が前記水平壁に当接するとともに前記ロック部が前記ロック受け部に係止して、前記電気接続箱のケース上面に前記電子ユニットが取り付けられる
ことを特徴とする電子ユニット取付構造。
【請求項２】
前記突出部収容空間が、前記水平壁から前記上面の下方に達している
ことを特徴とする請求項１に記載の電子ユニット取付構造。
【請求項３】
前記電気接続箱及び前記電子ユニットが、前記突出部を中心に前記電子ユニットが回動されることにより互いに嵌合するコネクタを有している
ことを特徴とする請求項１又は請求項２に記載の電子ユニット取付構造。
【請求項４】
前記電気接続箱のケース上面に、前記電子ユニットのガタつきを抑制する複数の凸部が設けられている
ことを特徴とする請求項１ないし請求項３のうちいずれか１項に記載の電子ユニット取付構造。
【請求項５】
前記水平壁に、下方に突出したガイド突起が設けられ、
前記突出部に、前記ガイド突起を位置付けるガイド溝が設けられている
ことを特徴とする請求項１ないし請求項４のうちいずれか１項に記載の電子ユニット取付構造。
【発明の詳細な説明】
【技術分野】
【０００１】
本発明は、電気接続箱のケース上面に電子ユニットを取り付ける電子ユニット取付構造に関するものである。
【背景技術】
【０００２】
図９は、従来の電子ユニット取付構造を示す斜視図であり、電子ユニットが電気接続箱のケース上面に取り付けられる途中の状態を示す斜視図である。図１０は、図９に示された電子ユニット取付構造の軸部及び軸受け部を示す断面図である。
【０００３】
図９に示すように、電子ユニット取付構造３０１は、電気接続箱３０２のケース３０４上面に電子ユニット３０３を取り付ける構造である。電子ユニット３０３のケース３０５の一側面には一対の軸部３０７が設けられており、ケース３０５の他側面にはロック部３５２が設けられている。電気接続箱３０２のケース３０４には、一対の軸部３０７を回転自在に取り付ける一対の軸受け部３０６と、ロック部３５２が係止するロック受け部３４２と、が設けられている。
【０００４】
この電子ユニット取付構造３０１においては、図１０に示すように軸部３０７が軸受け部３０６に挿入されて該軸部３０７を中心に電子ユニット３０３が回動されることにより、軸部３０７が軸受け部３０６の内面に当接するとともにロック部３５２がロック受け部３４２に係止して電気接続箱３０２のケース３０４上面に電子ユニット３０３が取り付けられる。
【０００５】
また、軸部３０７の表面及び軸受け部３０６の内面には、電気接続箱３０２に電子ユニット３０３が取り付けられた状態において両者のガタつきを抑制するリブ３７１，３６１が設けられている（特許文献１を参照。）。
【先行技術文献】
【特許文献】
【０００６】
【特許文献１】特開２００８−１７２８９０号公報
【発明の概要】
【発明が解決しようとする課題】
【０００７】
上述した電子ユニット取付構造３０１においては、軸部３０７及び軸受け部３０６が一対ずつ設けられていることから、軸部３０７及び軸受け部３０６のスペースが二箇所分必要であり、電子ユニット取付構造３０１が大型化してしまうという問題があった。さらに、これら軸部３０７及び軸受け部３０６にガタつきを抑制するリブ３７１，３６１が設けられている構造であることから、軸部３０７及び軸受け部３０６の形状が複雑化し、これらを製造する金型も複雑化して、コスト高になってしまうという問題があった。
【０００８】
したがって、本発明は、簡素な構造でかつ小型化が可能な電子ユニット取付構造を提供することを目的とする。
【課題を解決するための手段】
【０００９】
上記目的を達成するために請求項１に記載された発明は、電気接続箱のケース上面に電子ユニットを取り付ける電子ユニット取付構造において、前記電子ユニットのケースが、部品を収容したケース本体と、前記ケース本体の一側面から突出した突出部と、前記ケース本体の一側面と対向する他側面に設けられたロック部と、を有し、前記電気接続箱のケースが、前記上面と直交する方向に延びるとともに前記上面よりも上方に延長された垂直壁と、前記垂直壁における前記上面よりも上方から前記電子ユニットが取り付けられる側に張り出した水平壁と、前記水平壁の下方に位置する突出部収容空間と、前記垂直壁と対向する位置に配されたロック受け部と、を有し、前記突出部が前記突出部収容空間に挿入されて、該突出部を中心に前記電子ユニットが回動されることにより、前記突出部が前記水平壁に当接するとともに前記ロック部が前記ロック受け部に係止して、前記電気接続箱のケース上面に前記電子ユニットが取り付けられることを特徴とする電子ユニット取付構造である。
【００１０】
請求項２に記載された発明は、請求項１に記載された発明において、前記突出部収容空間が、前記水平壁から前記上面の下方に達していることを特徴とするものである。
【００１１】
請求項３に記載された発明は、請求項１又は請求項２に記載された発明において、前記電気接続箱及び前記電子ユニットが、前記突出部を中心に前記電子ユニットが回動されることにより互いに嵌合するコネクタを有していることを特徴とするものである。
【００１２】
請求項４に記載された発明は、請求項１ないし請求項３のうちいずれか１項に記載された発明において、前記電気接続箱のケース上面に、前記電子ユニットのガタつきを抑制する複数の凸部が設けられていることを特徴とするものである。
【００１３】
請求項５に記載された発明は、請求項１ないし請求項４のうちいずれか１項に記載された発明において、前記水平壁に、下方に突出したガイド突起が設けられ、前記突出部に、前記ガイド突起を位置付けるガイド溝が設けられていることを特徴とするものである。
【発明の効果】
【００１４】
請求項１に記載された発明によれば、前記電子ユニットのケースが、部品を収容したケース本体と、前記ケース本体の一側面から突出した突出部と、前記ケース本体の一側面と対向する他側面に設けられたロック部と、を有し、前記電気接続箱のケースが、前記上面と直交する方向に延びるとともに前記上面よりも上方に延長された垂直壁と、前記垂直壁における前記上面よりも上方から前記電子ユニットが取り付けられる側に張り出した水平壁と、前記水平壁の下方に位置する突出部収容空間と、前記垂直壁と対向する位置に配されたロック受け部と、を有し、前記突出部が前記突出部収容空間に挿入されて、該突出部を中心に前記電子ユニットが回動されることにより、前記突出部が前記水平壁に当接するとともに前記ロック部が前記ロック受け部に係止して、前記電気接続箱のケース上面に前記電子ユニットが取り付けられるので、簡素な構造でかつ小型化が可能な電子ユニット取付構造を提供することができる。
【００１５】
請求項２に記載された発明によれば、前記突出部収容空間が、前記水平壁から前記上面の下方に達しているので、突出部をより低い位置に設けることができ、突出部収容空間をより小さくできる。よって、より小型化が可能な電子ユニット取付構造を提供することができる。
【００１６】
請求項３に記載された発明によれば、前記電気接続箱及び前記電子ユニットが、前記突出部を中心に前記電子ユニットが回動されることにより互いに嵌合するコネクタを有しているので、電子ユニットの取り付け作業と同時にコネクタ同士の嵌合作業を行うことができる。
【００１７】
請求項４に記載された発明によれば、前記電気接続箱のケース上面に、前記電子ユニットのガタつきを抑制する複数の凸部が設けられているので、突出部及び突出部収容空間の形状を複雑化させることなくガタつめを行うことができる。
【００１８】
請求項５に記載された発明によれば、前記水平壁に、下方に突出したガイド突起が設けられ、前記突出部に、前記ガイド突起を位置付けるガイド溝が設けられているので、突出部と突出部収容空間の位置決めを容易に行うことができる。
【図面の簡単な説明】
【００１９】
【図１】本発明の第１の実施形態にかかる電子ユニット取付構造を示す斜視図であり、電子ユニットが電気接続箱のケース上面に取り付けられる途中の状態を示す斜視図である。
【図２】図１に示された電子ユニットが電気接続箱のケース上面に取り付けられた状態を示す斜視図である。
【図３】図２に示された電子ユニット取付構造の平面図である。
【図４】図２中のＡ−Ａ線に沿った断面図である。
【図５】図４に示された電子ユニット取付構造の要部拡大図である。
【図６】図１に示された電気接続箱のみを示す斜視図である。
【図７】図１に示された電子ユニットのみを示す斜視図である。
【図８】本発明の第２の実施形態にかかる電子ユニット取付構造に用いられる電子ユニットを示す斜視図である。
【図９】従来の電子ユニット取付構造を示す斜視図であり、電子ユニットが電気接続箱のケース上面に取り付けられる途中の状態を示す斜視図である。
【図１０】図９に示された電子ユニット取付構造の軸部及び軸受け部を示す断面図である。
【発明を実施するための形態】
【００２０】
（第１の実施形態）
本発明の第１の実施形態にかかる「電子ユニット取付構造」を図１〜７を参照して説明する。
【００２１】
図１〜５に示す電子ユニット取付構造１は、電気接続箱２のケース４上面４０ａに電子ユニット３を取り付ける構造である。
【００２２】
上記電子ユニット３は、電気接続箱２のケース４上面４０ａに取り付けられて、該電気接続箱２に電気的に接続されるものである。この電子ユニット３は、図３，４，７に示すように、基板１６と、基板１６に接続されたコネクタ１７，１８，１９と、これらを収容した合成樹脂製のケース５と、を有している。
【００２３】
上記ケース５は、平板状に形成されたケース本体５０と、ケース本体５０の一側面５０ｃから突出した突出部５１と、ケース本体５０の一側面５０ｃと対向する他側面５０ｄに設けられたロック部５２と、を有している。前記突出部５１は、直方体状に形成されている。また、突出部５１の中央には、ガイド溝５３が設けられている。
【００２４】
また、符号５０ａは、ケース本体５０の上面を示しており、符号５０ｂは、ケース本体５０の下面を示しており、符号５０ｅ，５０ｆは、ケース本体５０の側面を示している。前記コネクタ１７は、側面５０ｅから突出しており、前記コネクタ１９は、側面５０ｆから突出しており、前記コネクタ１８は、下面５０ｂから突出している。また、コネクタ１８は、電気接続箱２のコネクタ１４と嵌合される。
【００２５】
上記電気接続箱２は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００２６】
この電気接続箱２は、図３，４，６に示すように、基板１０と、基板１０に搭載されたヒューズ１１及びリレー１２と、基板１０に接続されたコネクタ１３，１４，１５と、これらを収容した合成樹脂製のケース４と、を有している。
【００２７】
上記ケース４は、矩形箱状に形成されたケース本体４０と、ケース本体４０の一側面４０ｃ側に設けられ、上記突出部５１を取り付ける突出部取付部６と、ケース本体４０の一側面４０ｃと対向する他側面４０ｄに設けられたロック受け部４２と、を有している。このロック受け部４２は、上記ロック部５２が係止する。
【００２８】
また、符号４０ａは、ケース本体４０の上面を示しており、符号４０ｂは、ケース本体４０の下面を示しており、符号４０ｅ，４０ｆは、ケース本体４０の側面を示している。前記コネクタ１３は、側面４０ｅから突出しており、前記コネクタ１５は、側面４０ｆから突出しており、前記コネクタ１４は、上面４０ａから突出している。また、コネクタ１４は、電子ユニット３のコネクタ１８と嵌合される。また、上面４０ａには、電子ユニット３のガタつきを抑制する複数の凸部４１が設けられている。
【００２９】
上記突出部取付部６は、図５に示すように、上面４０ａと直交する方向に延びるとともに上面４０ａよりも上方に延長された垂直壁６１と、上面４０ａから立設するとともに垂直壁６１と対向する対向壁６２と、垂直壁６１における上面４０ａよりも上方から電子ユニット３が取り付けられる側に張り出した水平壁６４と、水平壁６４の下方に位置する突出部収容空間６６と、を有している。前記垂直壁６１は、上記ロック受け部４２と対向する位置に配されている。前記対向壁６２は、垂直壁６１よりもロック受け部４２側に配されている。また、対向壁６２には、突出部５１の形状に対応した開口部６３が形成されている。前記水平壁６４は、垂直壁６１と対向壁６２を連結しているとともに、開口部６３の縁に連なっている。また、水平壁６４の中央には、下方に突出したガイド突起６５が設けられている。このガイド突起６５は、突出部５１に設けられたガイド溝５３内に位置付けられる。前記突出部収容空間６６は、水平壁６４から上面４０ａの下方に達しており、ケース本体４０の内部空間と、開口部６３よりも奥側すなわち垂直壁６１側の空間と、で構成されている。
【００３０】
上述した電子ユニット３を電気接続箱２のケース４上面４０ａに取り付ける際は、図１に示すように、電子ユニット３を傾けた状態で突出部５１を開口部６３から突出部収容空間６６に挿入し、該突出部５１を中心に電子ユニット３を回動させる。このことにより、突出部５１が水平壁６４に当接するとともにロック部５２がロック受け部４２に係止して、図２に示すように電気接続箱２のケース４上面４０ａに電子ユニット３が取り付けられる。また、コネクタ１４，１８は、前述したように電子ユニット３が回動されることにより互いに嵌合する。
【００３１】
また、突出部５１を突出部収容空間６６に挿入する際は、突出部５１を開口部６３に通すこと、及び、ガイド溝５３内にガイド突起６５を位置付けることにより、容易かつ正確に位置決めを行うことができる。
【００３２】
このようにして電気接続箱２のケース４上面４０ａに取り付けられた電子ユニット３は、突出部５１の上面が水平壁６４に当接し、ロック部５２がロック受け部４２に係止し、ケース本体５０の下面５０ｂがケース本体４０の上面４０ａの凸部４１に当接することにより、位置ずれ及びガタつきが抑制される。
【００３３】
上述した電子ユニット取付構造１によれば、突出部５１及び突出部取付部６の形状を簡素化することができ、これらを製造する金型も簡素化することができる。また、突出部５１及び突出部取付部６は、簡素な形状である上に１組しか設けられていないので、省スペース化を図ることができる。また、電気接続箱２のケース４上面４０ａに電子ユニット３のガタつきを抑制する凸部４１が設けられているので、突出部５１及び突出部取付部６の形状を複雑化させることなくガタつめを行うことができる。
【００３４】
（第２の実施形態）
本発明の第２の実施形態にかかる「電子ユニット取付構造」を図８を参照して説明する。また、図８において、前述した第１の実施形態と同一構成部分には同一符号を付して説明を省略する。
【００３５】
図８は、本発明の第２の実施形態にかかる電子ユニット取付構造に用いられる電子ユニットを示す斜視図である。この電子ユニット３’は、突出部５１’に前記ガイド溝５３（図７を参照。）が設けられていないこと以外は、第１の実施形態の電子ユニット３と同一の構成である。また、この電子ユニット３’が取り付けられる電気接続箱の図示は省略するが、該電気接続箱は、前記ガイド突起６５（図６を参照。）が設けられていないこと以外は、第１の実施形態の電気接続箱２と同一の構成である。
【００３６】
このように、電子ユニット取付構造においては、ガイド溝５３及びガイド突起６５が必ずしも設けられていなくても良い。
【００３７】
また、上述した第１，第２の実施形態においては、突出部収容空間６６が水平壁６４から上面４０ａの下方に達している構成であったが、前記突出部収容空間６６は、必ずしも上面４０ａの下方に達していなくても良く、水平壁６４の下方に位置していれば良い。また、第１，第２の実施形態においては、突出部収容空間６６が水平壁６４から上面４０ａの下方に達している構成であるので、突出部５１をより低い位置に設けることができ、突出部収容空間６６をより小さくできる。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
１  電子ユニット取付構造
２  電気接続部
３，３’  電子ユニット
４，５  ケース
４０ａ  上面
４２  ロック受け部
５０  ケース本体
５０ｃ  一側面
５０ｄ  他側面
５１  突出部
５２  ロック部
６１  垂直壁
６４  水平壁
６６  突出部収容空間
【図１】
2014064381.tif 000003
【図２】
2014064381.tif 000004
【図３】
2014064381.tif 000005
【図４】
2014064381.tif 000006
【図５】
2014064381.tif 000007
【図６】
2014064381.tif 000008
【図７】
2014064381.tif 000009
【図８】
2014064381.tif 000010
【図９】
2014064381.tif 000011
【図１０】
2014064381.tif 000012